(57)【要約】      （修正有）【課題】薩摩芋を貯蔵する貯蔵室内の湿度や二酸化炭素の濃度を自然に適切な状態に保持でき、簡易な構成であるために家庭内で使用するのに好適な薩摩芋貯蔵器を提供する。【解決手段】薩摩芋貯蔵器１は、上方に大径開口部２ａが開口するとともに内部に収容部２ｂを有する外箱２と、上方に小径開口部３ａが開口するとともに内部に薩摩芋を貯蔵する貯蔵室３ｂを有し、外箱２の内周面に接触しないように収容部２ｂに収容される内箱３と、気体を通過させるための窓部４ｃが設けられ、大径開口部２ａに被せられる外蓋と、外箱２の底部２ｇに穿設される外側孔と、内箱３の底部３ｇに穿設される内側孔３ｈを連通する連通孔５を備え、内側孔３ｈは、網部材６で被覆される。【選択図】図１
0003217990.tif 000002
【実用新案登録請求の範囲】
【請求項１】
上方に大径開口部が開口するとともに内部に収容部を有する外箱と、
上方に小径開口部が開口するとともに内部に薩摩芋を貯蔵する貯蔵室を有し、前記外箱の内周面に接触しないように前記収容部に収容される内箱と、
気体を通過させるための窓部が設けられ、前記大径開口部に被せられる外蓋と、
前記外箱の底部に穿設される外側孔と、前記内箱の底部に穿設される内側孔を連通する連通孔を備え、
前記連通孔は、網部材で被覆されることを特徴とする薩摩芋貯蔵器。
【請求項２】
少なくとも、前記内箱の前記底部における上表面は、金属又はプラスチックで形成されることを特徴とする請求項１に記載の薩摩芋貯蔵器。
【請求項３】
前記外箱の前記内周面と前記内箱の外周面の間に、保温手段が設置されることを特徴とする請求項１又は請求項２に記載の薩摩芋貯蔵器。
【考案の詳細な説明】
【技術分野】
【０００１】
本考案は、薩摩芋を貯蔵する小型の薩摩芋貯蔵器に係り、特に、貯蔵器内の水分や二酸化炭素を自然に放出させることで、薩摩芋の品質を低下させることなくこれを長期に貯蔵することができる薩摩芋貯蔵器に関する。
【背景技術】
【０００２】
まず、薩摩芋の優れた効能について述べる。出願人は、３日に一度は７ｋｇ程度の量の薩摩芋を必ず摂取することを習慣付けている。これは、薩摩芋を再々食するようにとの医師の勧めによるものである。この勧めに従った結果、整腸具合がとても良好になったため、薩摩芋を摂取することは大腸ガンや直腸ガン等の予防になると考えている。ところで、このような大腸ガン等の治療法として、人工肛門の設置がある。人工肛門とは、腸を切断した端部を腹壁に開口する開口部とし、この開口部に袋をぶら下げたものであって、元の肛門は閉鎖することになる。近年は袋等の装具に関する技術発展が目覚ましく、人工肛門が設置された患者の生活の質は大いに向上しているものの、それでも元の肛門が有するような機能を人工肛門によって得ることはできない。
そこで、薩摩芋を常時大量摂取することで大腸ガン等を予防しようと考えたのであるが、上記のとおり薩摩芋が健康上必須の食物であり、世界の国々の健康文化の基であるにも関わらず、我が国では特別に重要視されていない。一方で、何処の家庭の台所にも薩摩芋が常に置かれているが、これは時折の摂取時に合わせて少量が保管されているのであって、上記のように薩摩芋を常時大量摂取することを前提としたものではない。その理由は、薩摩芋が中南米の熱帯地域原産であることから、冬季に低温障害を起こし、変質したり、病気に罹り易くなったりするため、年間を通じて薩摩芋を鮮度良く保管することが困難であることが一因であると考えられる。
【０００３】
なお、従来の農民は、旧態依然としてそれぞれ囲炉裏の近くに縦穴を掘って薩摩芋を収容し、ごくわずかな地熱を頼りにその保管をしてきた。しかし、薩摩芋を鮮度良く保管するためには、最低でも１３〜１５℃の温度が必要であることから、上記の方法では温度不足となる。また、薩摩芋の呼吸によって二酸化炭素が放出されるのであるが、二酸化炭素の比重は空気の比重よりも大きいことから、放出された二酸化炭素は縦穴に溜まることになる。すると、溜まった二酸化炭素によって薩摩芋の呼吸が阻害され、薩摩芋を形成する細胞の生理活性が低下して腐敗が一層進行してしまうという課題があった。
さらに、縦穴内においては、薩摩芋の周囲に水分が存在することがある。この水分は上方へ発散するものもあるが、下方に垂れ落ちるものもある。しかし、垂れ落ちた水分は縦穴の下部の土壌によって吸収されることから、特に不都合はないかのように思われる。しかし、実際には、薩摩芋にこの水分が付着して薩摩芋を発芽させたり、この水分において雑菌が繁殖して薩摩芋を腐敗させたりするおそれがあるという課題もあった。
このような課題を解決するために、近年、芋貯蔵装置についての技術が開発されており、それに関して既にいくつかの考案が開示されている。
【０００４】
特許文献１には「いも類を貯蔵する定温庫の結露水排出装置」という名称で、貯蔵庫内を一定温度に保持しつつ、結露水を排出可能な結露水排出装置に関する考案が開示されている。
以下、特許文献１に開示された考案について説明する。特許文献１に開示された考案は、馬鈴薯等のいも類を貯蔵する定温庫において、天井壁の室内側に設置される通気孔を設けた波型の板状部材と、この板状部材の複数の谷部に形成される複数の流水溝の端部にそれぞれ連接される横樋と、この横樋に入口が連接されるとともに定温庫外に出口が開口する竪樋を備えることを特徴とする。
このような特徴を有する考案においては、いも類からその呼吸熱によって常時水蒸気が蒸散しているので、冬季に外気温が定温庫内の温度よりも著しく低くなると、水蒸気が板状部材の通気孔を通過し外気によって冷却された天井壁に当たって結露水となる。しかし、この結露水は、複数の流水溝をそれぞれ流れて横樋に集められ、定温庫内に貯蔵された芋類の上に落下することなく竪樋を流れ下って定温庫外に排出される。
したがって、特許文献１に開示された考案によれば、いも類を長期に亘って品質を低下させることなく貯蔵することができる。
【０００５】
次に、特許文献２には「芋貯蔵装置」という名称で、貯蔵庫内の排気を十分に行うことのできる芋貯蔵装置に関する考案が開示されている。
特許文献２に開示された考案は、芋貯蔵庫と、空調室と、この空調室の空気を芋貯蔵庫に吹き込む吹込送風機と、芋貯蔵庫の空気を排出する排気送風機及びこの排気送風機によって排気された空気の一部を排気する排気流路と、を備え、空調室は、外気を取り込む給気流路と、排気送風機によって排気された空気のうち排気流路を介して排気されない残りの空気を空調室へ還流させる還気流路が設けられ、排気流路、給気流路及び還気流路には開度を調整可能なダンパーがそれぞれ設けられることを特徴とする。
このような特徴を有する考案においては、吹込送風機によって芋貯蔵庫へ空気が吹き込まれ、その後排気送風機の吸引力によって芋貯蔵庫の空気が排出されることから、芋貯蔵庫内の空気が循環し、結露が防止される。また、排気流路、給気流路及び還気流路にそれぞれ設置されたダンパーの開度を調整することにより、空調室に取り込まれる外気の量と、還流する空気の量を変化させることができる。よって、外気温度が低い場合であっても貯蔵庫内の温度が一定以上に保持される。
したがって、特許文献２に開示された考案によれば、外気導入による空調を行うことができるので、芋を腐敗させることなく好適な状態で貯蔵することが可能である。
【先行技術文献】
【特許文献】
【０００６】
【特許文献１】実開昭５９−６５３８２号公報
【特許文献２】実開昭５４−８８３６９号公報
【考案の概要】
【考案が解決しようとする課題】
【０００７】
しかしながら、特許文献１に開示された考案においては、結露水を排出していも類の腐敗を防止できるが、二酸化炭素が板状部材の通気孔を通過せずに木箱の底側に滞留してしまうおそれがある。よって、いも類の腐敗を招き、品質を低下させてしまう可能性がある。
【０００８】
次に、特許文献２に開示された考案においては、空調室や排気送風機を備えるため、過剰な水分や二酸化炭素を十分に排出できると考えられる。しかしながら、家庭内で使用する芋貯蔵装置としては複雑で大掛かりとなりすぎて、導入し難いものと考えられる。また、複数のダンパーの開度をそれぞれ調節する必要があるので、一般人にとっては操作も煩雑になりすぎるおそれがある。
【０００９】
本考案は、このような従来の事情に対処してなされたものであり、薩摩芋を貯蔵する貯蔵室内の湿度や二酸化炭素の濃度を自然に適切な状態に保持することができ、しかも簡易な構成であるために家庭内で使用するのに好適な薩摩芋貯蔵器を提供することを目的とする。
【課題を解決するための手段】
【００１０】
上記目的を達成するため、第１の考案は、上方に大径開口部が開口するとともに内部に収容部を有する外箱と、上方に小径開口部が開口するとともに内部に薩摩芋を貯蔵する貯蔵室を有し、外箱の内周面に接触しないように収容部に収容される内箱と、気体を通過させるための窓部が設けられ、大径開口部に被せられる外蓋と、外箱の底部に穿設される外側孔と、内箱の底部に穿設される内側孔を連通する連通孔を備え、連通孔は、網部材で被覆されることを特徴とする。
【００１１】
このような構成の考案において、例えば、外箱、内箱、外蓋はいずれも平板状の板材から構成され、外蓋の窓部には有害虫や小動物の侵入を防止するために、網体や通気性を有する布体が張設されることが考えられる。
また、内箱が外箱の内周面に接触しないように収容部に収容されるために、内箱の外周面と外箱の内周面の間に一定の隙間が確保される。
【００１２】
上記構成の考案においては、内箱が外箱の内周面に接触しないように収容部に収容されるため、内箱と外気の間に空気が存在し得る。この空気は、外箱の外部にある空気の温度変化の影響を遮断するので、冬季においては内箱の貯蔵室内に結露が発生することが軽減される。
また、内箱の貯蔵室に存在する空気が外蓋の窓部や連通孔を介して排出され、これに伴い外箱の外部に存在する空気が貯蔵室へ補充される。さらに、貯蔵室に存在する空気中には、貯蔵室に貯蔵される薩摩芋の呼吸によって放出された二酸化炭素が含まれるが、この二酸化炭素は内箱の下方に滞留し易い。しかし、内箱の内側孔には連通孔が設けられているため、滞留した二酸化炭素が連通孔を介して排出されることになる。さらに、貯蔵室内に発生した水分も連通孔を介して排出されるため、水分に接触することによる薩摩芋の発芽が防止される。
そして、連通孔は網部材で被覆されるので、内箱の貯蔵室に薩摩芋を貯蔵する際に薩摩芋が連通孔を通過して外箱の外部に落下することや、貯蔵室へ有害虫や小動物が侵入することが防止される。
【００１３】
次に、第２の考案は、第１の考案において、少なくとも、内箱の底部における上表面は、金属又はプラスチックで形成されることを特徴とする。
通常、収穫された薩摩芋からは水分が放出されるので、薩摩芋を保管中に、水分等が内箱の底部に付着してこの底部が腐食するおそれがある。
そこで、第２の考案においては、第１の考案の作用に加えて、少なくとも、内箱の底部における上表面が、金属又はプラスチックといった水分によって腐食し難い材質で形成されることにより、上記の腐食が防止される。なお、内箱の内周面全体が金属又はプラスチックで形成されても良い。
【００１４】
続いて、第３の考案は、第１又は第２の考案において、外箱の内周面と内箱の外周面の間に、保温手段が設置されることを特徴とする。
このような構成の考案において、保温手段として、電気毛布、電気マット、電気あんか等が考えられる。また、保温手段には、発泡スチロールやアルミ蒸着シートといった断熱材も含まれる。
上記構成の考案においては、外箱の内周面と内箱の外周面の間に、保温手段が設置されることにより、内箱と外気の間に存在する空気の温度が一定温度以上に保温されるので、外気温が低い場合であっても内箱の貯蔵室内の温度が低下することが防止される。
【考案の効果】
【００１５】
第１の考案によれば、内箱と外箱の隙間に存在し得る空気によって、例えば冬季においては内箱の貯蔵室内に結露が発生することが軽減されるため、薩摩芋の腐敗を有効に防止することができる。
また、内箱の貯蔵室に存在する空気が外蓋の窓部や連通孔を介して排出され、これに伴い外箱の外部に存在する空気が貯蔵室へ補充されるので、貯蔵室には空気が出入りし易く、貯蔵室内の湿度が過剰になることを自然に防止することができる。
さらに、連通孔が設けられることで、内箱の下方に滞留した二酸化炭素を速やかに排出することが可能である。そのため、貯蔵室に貯留された薩摩芋の呼吸が阻害されず、この点においても薩摩芋の腐敗を防止することができる。
【００１６】
そして、連通孔が網部材で被覆されることにより、薩摩芋の外箱の外部への落下や有害虫等の侵入が防止されるので、薩摩芋の損傷や食害を防ぐことができる。
また、第１の考案は、外箱と、内箱と、外蓋等からなる構成であって、ダンパー等の操作対象が設けられないことから、取り扱いが簡単であり一般人が家庭内で使用するのに好適である。
したがって、第１の考案によれば、簡易な構成でありながら、薩摩芋の腐敗や損傷を十分に防止可能であるから、薩摩芋の品質を低下させることなく長期に貯蔵することができる。
【００１７】
第２の考案によれば、第１の考案の効果に加えて、内箱の底部における上表面が、水分によって腐食し難いため、内箱の貯蔵室の清潔性を維持することができるとともに、製品寿命を延ばすことができる。
【００１８】
第３の考案によれば、第１又は第２の考案の効果に加えて、外気温が低い場合であっても内箱の貯蔵室内の温度が低下することが防止されるため、薩摩芋の低温障害を確実に防止可能である。
【図面の簡単な説明】
【００１９】
【図１】実施例に係る薩摩芋貯蔵器の斜透視図である。
【図２】図１におけるＡ−Ａ線矢視断面図である。
【図３】実施例に係る薩摩芋貯蔵器を構成する連通孔と網部材の部分斜視図である。
【図４】実施例の変形例に係る薩摩芋貯蔵器の斜透視図である。
【考案を実施するための形態】
【実施例】
【００２０】
本考案の実施の形態に係る薩摩芋貯蔵器について、図１乃至図４を用いて詳細に説明する。図１は、実施例に係る薩摩芋貯蔵器の斜透視図である。
図１に示すように、実施例に係る薩摩芋貯蔵器１は、いずれも木製の平板で形成される外箱２と、内箱３と、外蓋４と、連通孔５を備える。なお、外箱２と、内箱３と、外蓋４を形成する平板の厚みは、例えば、それぞれ２ｃｍ、１．４ｃｍ、１．４ｃｍである。
このうち、外箱２は、立方形状をなしており、上方（図中Ｙ１方向）に大径開口部２ａが開口するとともに内部に収容部２ｂを有している。また、外箱２の底部２ｇにはその中心寄りに四角形状の外側孔２ｈ（図２参照）が穿設される。さらに、外箱２のすべての角部の内側には、４ｃｍ×４ｃｍの太さを有する角材２ｉが設けられており、この角材２ｉに外箱２の周壁を構成する平板が、ねじくぎ（図示せず）を用いて固定されている。また、角材２ｉの下端は、底部２ｇを貫通し、そのまま薩摩芋貯蔵器１を支持する脚部２ｊとなっている。そして、この脚部２ｊの末端には移動用の車輪２ｋが取り付けられている。なお、外箱２の収容部２ｂのサイズは、例えば、奥行きＬ方向が９５ｃｍ、幅Ｗ方向が８２ｃｍ、高さＨ方向が７６ｃｍである。また、外側孔２ｈのサイズは、奥行きＬ方向が８ｃｍ、幅Ｗ方向が１６ｃｍである。
【００２１】
次に、内箱３は、外箱２よりも小型の立方形状をなしており、上方に小径開口部３ａが開口するとともに内部に薩摩芋（図示せず）を貯蔵する貯蔵室３ｂを有している。また、内箱３は、その外周面３ｃ〜３ｆがそれぞれ外箱２の内周面２ｃ〜２ｆに接触せず、かつその底部３ｇが外箱２の底部２ｇに接触するように、収容部２ｂに収容されている。
さらに、内箱３のすべての角部の内側にも、４ｃｍ×４ｃｍの太さを有する角材２ｉ´が設けられており、この角材２ｉ´に内箱３の周壁を構成する平板が、ねじくぎ（図示せず）を用いて固定されている。また、角材２ｉ´の下端は、底部３ｇの上表面３Ｓに接触して止まっておりこれを貫通していない。内箱３の底部３ｇにはその中心寄りに外側孔２ｈと同形状の内側孔３ｈが穿設される。なお、内箱３は、その底部３ｇの中心が外箱２の底部２ｇの中心と一致するように収容部２ｂに収容される。
【００２２】
次に、内箱３の貯蔵室３ｂの内部のサイズは、例えば、奥行きＬ方向が８３ｃｍ、幅Ｗ方向が７０ｃｍ、高さＨ方向（小径開口部３ａの端面からステンレス製の平板部７ａの裏面までの長さ）が７４．６ｃｍである。したがって、外箱２の内周面２ｃと内箱３の外周面３ｃの奥行きＬ方向に沿った間隔は、｛９５ｃｍ−（８３ｃｍ＋１．４ｃｍ×２）｝／２＝４.６ｃｍとなり、内周面２ｅと外周面３ｅの奥行きＬ方向に沿った間隔も４．６ｃｍとなる。また、内周面２ｄと外周面３ｄの幅Ｗ方向に沿った間隔は、｛８２ｃｍ−（７０ｃｍ＋１．４ｃｍ×２）｝／２＝４.６ｃｍとなり、内周面２ｆと外周面３ｆの幅Ｗ方向に沿った間隔も４．６ｃｍとなる。
このほか、連通孔５を構成する内側孔３ｈは、プラスチック製の網部材６で被覆されるが、その詳細な構成については、図３を用いながら説明する。
【００２３】
続いて、外蓋４は、四方に端面４ｂを有する四角形状の天井面４ａを備える。また、外蓋４は、天井面４ａに気体を常時通過させるための窓部４ｃが設けられ、大径開口部２ａの全面に被せられる。この窓部４ｃには、有害虫や小動物の侵入を防止するために、金属網が張設される。また、４つの端面４ｂと外箱２の外周面には、これらを連結又は分離させる金属製のパチン錠ｐが合計４箇所に取り付けられる。そのため、薩摩芋が貯蔵室３ｂに貯蔵されている場合は、４個の金属製のパチン錠ｐをロックすることによって外蓋４は外箱２の大径開口部２ａの端面に固定されている。一方、薩摩芋を大径開口部２ａから出し入れする際には、４個のパチン錠ｐのロックを解除して外蓋４を大径開口部２ａから取り外す。
【００２４】
また、薩摩芋貯蔵器１は、外箱２の底部２ｇに穿設される外側孔２ｈ（図２参照）と、内箱３の底部３ｇに穿設される内側孔３ｈを連通する連通孔５を備える。すなわち、連通孔５のＹ１方向に沿った長さは、内側孔３ｈの厚み（１．４ｃｍ）と外側孔２ｈの厚み（２ｃｍ）を合計した値の、３．４ｃｍとなる。また、連通孔５の直上には網部材６が設置される。
【００２５】
次に、実施例に係る薩摩芋貯蔵器の構成について、図２を用いながらより詳細に説明する。図２は、図１におけるＡ−Ａ線矢視断面図である。なお、図１で示した構成要素については、図２においても同一の符号を付して、その説明を省略する。
図２に示すように、薩摩芋貯蔵器１は、内箱３の底部３ｇにおける上表面３Ｓが、ステンレス製の厚み０．２ｃｍの薄板からなる表面部材７で被覆される。この表面部材７は、内側孔３ｈを除く上表面３Ｓを被覆する平板部７ａである。
また、平板部７ａは、内箱３の上表面３Ｓに対し、図示しないビス及び接着剤によって固定されている。
【００２６】
続いて、実施例に係る薩摩芋貯蔵器を構成する網部材について、図３を用いながら説明する。図３は実施例に係る薩摩芋貯蔵器を構成する連通孔と網部材の部分斜視図である。なお、図１及び図２で示した構成要素については、図３においても同一の符号を付して、その説明を省略する。また、図３（ａ）においては、角材２ｉ，２ｉ´の図示も省略する。
図３に示すように、網部材６は、平面視で四角形状をなし、内箱３の内側孔３ｈの直上に設置されるプラスチック製の枠体６ａと、この枠体６ａの内側の横断面全体に亘って設けられるプラスチック製の網体６ｂと、枠体６ａのすべての角部において網体６ｂの下方に設けられる脚部６ｃからなる。なお、網部材６は、プラスチック原材料が一体成型されたものであって、大量生産される汎用品を利用したものである。
【００２７】
上記構成の網部材６は、脚部６ｃが内箱３の内側孔３ｈに落下しないように位置調整されて、表面部材７の平板部７ａに固定されることなく載置される。ただし、脚部６ｃの先端と平板部７ａの上表面に、例えば面ファスナーがそれぞれ貼設されることで、網部材６が平板部７ａから引き剥がし可能に貼り付けられても良い。
また、内箱３は、外箱２から取り出し可能に収容部２ｂへ収容される。
【００２８】
上記構成の薩摩芋貯蔵器１においては、外蓋４が内箱３を収容した外箱２の大径開口部２ａに被せられているとき、内箱３の外周面３ｃ〜３ｆがそれぞれ外箱２の内周面２ｃ〜２ｆに接触しないように収容部２ｂに収容されているために、内箱３と外箱２の隙間に空気が存在し得る。この空気は外箱２の外部にある空気の温度変化の影響を遮断するので、内箱３の貯蔵室３ｂに存在する空気がこの温度変化の影響を受け難くなる。そのため、冬季に内箱２の貯蔵室３ｂ内に結露したり、夏季に熱気が貯蔵室３ｂ内に籠ったりすることが軽減される。
【００２９】
さらに、薩摩芋貯蔵器１においては、内箱３の貯蔵室３ｂに存在する空気が外蓋４の窓部４ｃや連通孔５を介して排出され、これに伴い外箱２の外部に存在する空気が貯蔵室３ｂへ補充される。
また、貯蔵室３ｂに存在する空気中には、貯蔵室３ｂに貯蔵される薩摩芋の呼吸によって放出された二酸化炭素が含まれるが、この二酸化炭素は一部が外蓋４の窓部４ｃを介して排出されるものの、二酸化炭素の比重は空気の比重よりも重いことから、外気温や外蓋４の開閉回数によっては二酸化炭素は内箱３の下方、すなわち底面３ｇ寄りに滞留し易く、薩摩芋の呼吸を阻害することになる。しかし、内箱３の内側孔３ｈには連通孔５が設けられているため、滞留した二酸化炭素が連通孔５を介して排出されることになる。
【００３０】
そして、内側孔３ｈが網部材６で被覆されることによって、内箱３の貯蔵室３ｂに薩摩芋を貯蔵する際に、薩摩芋が連通孔５を通過して外箱２の外に落下したり、連通孔５を閉塞して二酸化炭素の排出が妨げられたり、あるいは貯蔵室３ｂへ有害虫や小動物が侵入したりすることが防止される。
一方で、内箱３の内側孔３ｈが網部材６に被覆されているため、その枠体６ａによって二酸化炭素が連通孔５へ速やかに流入できないのではないかとも考えられる。しかし、枠体６ａは、網体６ｂの角部にある脚部６ｃによって表面部材７の平板部７ａの表面からかさ上げされているため、二酸化炭素は脚部６ｃ同士の間を通過し連通孔５へ速やかに流入することが可能である。
【００３１】
加えて、薩摩芋貯蔵器１においては、収穫された薩摩芋から放出された水分が内箱３の底部３ｇに付着するため、底部３ｇが木材のみで形成されていると腐食のおそれがある。
しかし、ステンレス製の表面部材７は、水分によって腐食し難く、さらに内側孔３ｈを除く上表面３Ｓを被覆していることから、上記の腐食が防止される。
【００３２】
さらに、内箱３の底部３ｇが外箱２の底部２ｇに接触しているため、貯蔵室３ｂに貯蔵された薩摩芋の荷重によって内箱３が傾斜することや、貯蔵室３ｂに薩摩芋を貯蔵する際に内箱３が横ずれを起こすことが防止される。
【００３３】
以上説明したように、薩摩芋貯蔵器１によれば、内箱３と外箱２の隙間に存在し得る空気によって、冬季に内箱２の貯蔵室３ｂ内に結露したり、夏季に熱気が貯蔵室３ｂ内に籠ったりすることが軽減されることから、年間を通じて貯蔵室３ｂに貯蔵された薩摩芋の腐敗を有効に防止することができる。
また、内箱３の貯蔵室３ｂに存在する空気が外蓋４の窓部４ｃや連通孔５を介して排出され、これに伴い外箱２の外部に存在する空気が貯蔵室３ｂへ補充されるので、貯蔵室３ｂには空気が自然に出入りし易く、貯蔵室３ｂ内の湿度が過剰になることを防止することができる。
さらに、薩摩芋貯蔵器１によれば、連通孔５が設けられることで、内箱２の下方に滞留した二酸化炭素を速やかに排出することが可能である。そのため、貯蔵室３ｂに貯留された薩摩芋の呼吸が阻害されず、この点においても薩摩芋の腐敗を防止することができる。
【００３４】
そして、内側孔３ｈが網部材６で被覆されることにより、薩摩芋の外箱２の外部への落下や有害虫等の侵入が防止されるので、薩摩芋の損傷や食害を防ぐことができる。
また、網部材６が脚部６ｃでかさ上げされていることにより、貯蔵室３ｂ内に滞留した二酸化炭素は連通孔５へ速やかに流入することが可能であるので、網部材６の設置による不利益の発生を未然に防ぐことができる。なお、この網部材６は、プラスチックを原材料とした汎用品であることから、市場に出回っているものを容易に入手可能である。
加えて、表面部材７が内箱３の底部３ｇの上表面３Ｓの腐食を防止していることから、薩摩芋を貯蔵している際に、貯蔵室３ｂの清潔性を維持することができる。また、薩摩芋貯蔵器１の製品寿命を延ばすことができる。
【００３５】
さらに、内箱３の底部３ｇが外箱２の底部２ｇに接触していることで内箱３の傾斜や横ずれを防止しているため、内箱３を外箱２の収容部２ｂへ安定的に収容することができる。
【００３６】
また、薩摩芋貯蔵器１は、外箱２と、内箱３と、外蓋４等からなる構成であって、ダンパー等の操作対象が設けられないことから、取り扱いが簡単であり一般人が家庭内で使用するのに好適である。さらに、外箱２等は、木製の平板や金網を材料としているため、安価かつ簡単に製造可能である。したがって、個人の消費者にとって経済的負担が少なく、容易に購入できることが期待できる。
したがって、薩摩芋貯蔵器１は、薩摩芋を貯蔵する貯蔵室３ｂ内の湿度や二酸化炭素の濃度を自然に適切な状態に保持することができ、しかも簡易な構成であるために家庭内で使用するのに好適である。
【００３７】
次に、実施例の変形例に係る薩摩芋貯蔵器について、図４を用いながら説明する。図４は、実施例の変形例に係る薩摩芋貯蔵器の斜透視図である。なお、図１乃至図３で示した構成要素については、図４においても同一の符号を付して、その説明を省略する。また、外蓋４の図示も省略する。
図４に示すように、実施例の変形例に係る薩摩芋貯蔵器１ａは、外箱２の内周面２ｃ〜２ｆと内箱３の外周面３ｃ〜３ｆの間に、保温手段８が設置される。
保温手段８は、具体的には電気毛布であって、複数のプラスチック製の留め具１０を使用して外箱２の内周面２ｃ〜２ｆに貼り付けられて保持される。なお、保温手段８の角部のうちの一つには、保温手段８に通電するためのコネクタ９が取り付けられている。このコネクタ９と、電源のオン・オフや温度調節を制御するためのコントローラ（図示せず）は、コード線（図示せず）を介して接続されるから、コネクタ９とコード線を通過させるための通過孔が必要である。このような通過孔は、外箱２の大径開口部２ａの周縁又は外蓋４の端面４ｂ（図１，２参照）が切り欠かれることで設けられると使い勝手が良好となる。
【００３８】
また、複数の留め具１０は点ファスナーであって、それぞれ、凹んだ形状をなす凹部１０ａと、この凹部１０ａに嵌め込むことのできる突出部を備える凸部１０ｂからなる。凹部１０ａは外箱２の内周面２ｃ〜２ｆ全体に上下左右に間隔を空けて面状に分布するよう、接着剤によって内周面２ｃ〜２ｆに接着されている。また、凸部１０ｂは凹部１０ａの分布に対応して保温手段８の一方の面に接着剤によって接着されている。ただし、凹部１０ａを内箱３の外周面３ｃ〜３ｆに接着し、かつ凸部１０ｂを保温手段８の他方の面に接着することにより、保温手段８を内箱３の外周面３ｃ〜３ｆに巻き付けるようにして設置しても良い。
上記以外の薩摩芋貯蔵器１ａの構成は、実施例に係る薩摩芋貯蔵器１の構成と同様である。
【００３９】
上記構成の薩摩芋貯蔵器１ａにおいては、外箱２の内周面２ｃ〜２ｆと内箱３の外周面３ｃ〜３ｆの間に保温手段８が設置されることにより、内箱３と外箱２の隙間に存在する空気が暖められ、一定温度を維持するように保温される。そのため、外気温が低い場合であっても、内箱３の貯蔵室３ｂ内の空気が外気温の影響を受けないので貯蔵室３ｂ内の温度が低下することが防止されるとともに、貯蔵室３ｂ内に結露が発生することが防止される。また、保温手段８の設定温度は、外箱２の外部にあるコントローラを操作することによって自在に調節される。
さらに、保温手段８は、留め具１０の凸部１０ｂを凹部１０ａに嵌め込み、逆に引き抜くことによって、外箱２の内周面２ｃ〜２ｆと内箱３の外周面３ｃ〜３ｆの間に設置、又は取り外される。なお、保温手段８を外箱２の内周面２ｃ〜２ｆへ貼り付けることを容易にするため、内箱３の底部３ｇは、底部２ｇの上表面に固定されず、載置されているのみであることが望ましい。
上記以外の薩摩芋貯蔵器１ａの作用は、実施例に係る薩摩芋貯蔵器１の作用と同様である。
【００４０】
以上説明したように、薩摩芋貯蔵器１ａによれば、保温手段８によって、貯蔵室３ｂ内の気温を薩摩芋の貯蔵に適した温度に容易に調節することができる。そのため、冬季に薩摩芋が低温障害を起こすことを確実に防止できる。また、保温手段８の設定温度は、コントローラを操作することによって自在に調節されるため、外気温に応じた適切な温度で保温でき、使い勝手が良い。上記以外の薩摩芋貯蔵器１ａの効果は、実施例に係る薩摩芋貯蔵器１の効果と同様である。
【００４１】
なお、本考案に係る薩摩芋貯蔵器は、実施例に示すものに限定されない。例えば、外箱２や内箱３等のサイズは、実施例で説明した以外のサイズであっても良い。また、表面部材７は、ステンレス製の薄板が用いられる代わりに、プラスチックで構成されても良い。さらに、脚部２ｊは省略されるほか、車輪２ｋが省略されても良い。
加えて、内側孔３ｈを被覆する網部材６において、枠体６ａと、脚部６ｃが省略され、網体６ｂのみが内側孔３ｈに被せられたり、内側孔３ｈと外側孔２ｈの間に挟み込まれたりするほか、外側孔２ｈの下縁に貼り付けられても良い。
【産業上の利用可能性】
【００４２】
本考案は、薩摩芋を貯蔵する小型の薩摩芋貯蔵器として利用可能である。
【符号の説明】
【００４３】
１，１ａ…薩摩芋貯蔵器  ２…外箱  ２ａ…大径開口部  ２ｂ…収容部  ２ｃ〜２ｆ…内周面  ２ｇ…底部  ２ｈ…外側孔  ２ｉ,２ｉ´…角材  ２ｊ…脚部  ２ｋ…車輪  ３…内箱  ３ａ…小径開口部  ３ｂ…貯蔵室  ３ｃ〜３ｆ…外周面  ３ｇ…底部  ３ｈ…内側孔  ３Ｓ…上表面  ４…外蓋  ４ａ…天井面  ４ｂ…端面  ４ｃ…窓部  ５…連通孔  ｐ…パチン錠  ６…網部材  ６ａ…枠体  ６ｂ…網体  ６ｃ…脚部  ７…表面部材  ７ａ…平板部  ８…保温手段  ９…コネクタ  １０…留め具  １０ａ…凹部  １０ｂ…凸部
【図１】
0003217990.tif 000003
【図２】
0003217990.tif 000004
【図３】
0003217990.tif 000005
【図４】
0003217990.tif 000006